(57)【特許請求の範囲】
【請求項１】
屋内外で任意休息用の携帯用椅子に関するもので、可撓性樹脂を用いて所定高の中空箱型内部エアー給排式の上下拡縮可能に形成された本体を、平面形状ほぼ角型に設けた上部の座時の臀部接面（以下座面と言う）と、下部に配した底板によって挟接される周囲横蛇腹状に設けた中間胴部によって形成するもので、かつ、エアー給排手段を、底板底面中央部に一方向の所定巾の凹椀状（以下インローとも言う）の溝部を設けて外部突起する外ネジ式筒状口部を配し、かつ、該外ネジ式筒状口部に所定径の通気孔、及び、基部にリング状弾性ガスケットを配し、かつ、端部にキャップを配して内部エアー密開封可能に形成し、かつ、前記底板周縁部に収納されて座時の後方向に接地面積任意拡大可能な治具（以下接地ステーと言う）を備えて形成し、該接地ステーは、下方振り子状、又は、水平スライド可能に配して上部体荷重安定性向上可能に構成されたエアー給排折り畳み式携帯用椅子。
【請求項２】
前記エアー給排折り畳み式携帯用椅子の座面を任意拡大使用可能に形成のため、該座面を左右所定位置から外方向に所定の段落差を設けて上下２段からなる２段座面を形成、かつ、該２段座面を覆う補助座面を左右２分割に形成して該補助座面の各外周囲縁部に下方向の所定深さのフランジを配し、かつ、該フランジの中央寄り４端部に内方向の係止嵌合機構（以下フックと言う）を配した補助座面を２段座面に水平方向スライド拡縮可能に嵌合装着、かつ、前記２段座面段差部近傍に下方向の突起板（以下ストッパーと言う）を配して前記補助座面フックと係止嵌合可能に形成（以下バックアップ機構とも言う）し、かつ、該補助座面が拡大時に前記２段座面の上段座面と面一可能に形成、かつ、縮小収納可能に構成された請求項１記載のエアー給排折り畳み式携帯用椅子。
【発明の詳細な説明】
【技術分野】
【０００１】  折り畳み可能な携帯用小型椅子に関する。
【背景技術】
【０００２】  携帯用の小型椅子は操作が簡易で着地安定性を有し、かつ、軽量で手提げバッグ内等に収納出来ることが要求されて、従来、パイプキャンパス式、又は、面板折り畳み式、或いは、インフレート式等さまざまな形態の椅子があるがいずれも満足できるものが無かった。
【発明が解決しようとする課題】
【０００３】  本発明は上記課題に着目して案出されたもので、所定の体荷重支持可能な、かつ、適度の座面積、及び、座りと立ち上がりが楽に出来る座高を有し、かつ、軽量で、コンパクトで、かつ、操作も容易な日常的に携帯可能な折り畳み式携帯用椅子の提供を目的とする。
【課題を解決発明するための手段】
【０００４】  本発明は上記課題を達成するため、請求項１の如く携帯用椅子本体を所定の可撓性樹脂材を用いた座面及び底面を平面形状ほぼ角型、又は、楕円形等に設けて中間胴部をブロー成型等によって横蛇腹状の中空箱型に設け、かつ、この本体を最大拡張時の形状で初期成型し、かつ、主に、底部底面をインローに設けてエアー給排手段を配して上下拡縮可能に設け、かつ、同底板に接地面積拡大用のステーを配備して形成することが出来る。
このように形成の本折り畳み椅子は、本体座面及び底板を、例えば、巾１５ＣＭ，長さが２２〜２４ＣＭに設け、高さを拡大時１８〜２０ＣＭ、折り畳み縮小時の厚みが２、０〜２、５ＣＭに形成され、かつ、前記底板に配置の給排手段を、例えば、底板底面中央通過の長手方向に所定巾の凹状のなだらかな溝部を設けて、この中央に外部突起する筒状の外ネジ式口部をキャップ付きに設けて筒部に通気孔、及び、付け根部外部にＯリング等の弾性ガスケットを配してキャップの縁部が回転操作でＯリングに接触離可能に形成して内部空気圧気密保持及び排出可能に、かつ、キャップ頭部が底面周辺部と面一以下に形成している。かつ、本発明は底面に接地面積拡大用接地ステーを，例えば、座位方向に対する底板左右両側部の中央部やや後方位置に嵌合穴を設けて、軽合金製等の丸棒又はパイプ等をコの字状に曲げ、端部に内９０度角の軸芯を設けて成型して前記嵌合穴に装着して前後下方向振り子状に半回転可能に形成している。又は、底板両側部に半溝を設けて前後方向引き出し入れ可能に形成することも出来る。
従って、この様に形成された本蛇腹式エアー給排式椅子は、軽量小型の折り畳み式に設けられて収納時の折り畳まれた状態の椅子が、使用時にほぼワンタッチのキャップ半回転操作で緩めてエアーが通気孔から瞬時に吸入されて胴部を初期形状に自動復元して拡大後、キャップを閉めて胴部内圧を保持し、かつ、底板のステーをセットして座り心地と安定性良好な状態で使用出来る。かつ、収納時、再び、キャップを半回転操作開口後胴部上下を圧縮して通気孔からエアーを排出し、即、キャップを閉めて内部負圧圧縮状態のままの姿を維持して折り畳み収納可能に形成出来る。従って、キャップを口部から取り外すことなく両手を本体とキャップに添えたままの僅かな操作で密開封して身体荷重性を有する椅子が完成し、かつ、圧縮し、かつ、任意に椅子の高さ調整が出来る。なお、前記エアー給排手段はこれを上部座面に設けることも出来る。
従って、本携帯用椅子は、日常の集会やイベントの他、散歩や旅行時の任意の休息用にも役立つもので、かつ、前記接地ステーは取り外し可能で室内の畳や座布団上の和式行事の使用にも適するものである。もとより、本折り畳み椅子は、これを化粧袋を併用して日常的に携帯して用いることが出来る。また、このように形成のブロー成型された椅子は本体の座面、及び、胴部平面形状を丸型、又は、三角形等に設けることが出来ると同時に、箱型胴部を、筒状はもとより、台形、逆台形等の立体状に形成出来る。
【０００５】  また、本発明の携帯用椅子は請求項２の如く、前記本体が底部にエアー給排手段を有する中空箱型蛇腹状の上下拡縮可能に設けられた上部座面の面積を任意拡大可能に形成のため、上部座面を、座位方向に対する中央から左右所定位置外方向に段落差を設けて上段座面と下段座面を設け、かつ、この左右の段差部近傍の下段座面前後の外縁部に下方に突起する所定の板状のストッパーを配して本体を形成し、かつ、前記本体全座面大に、２分割された３周辺下部フランジ付きの鞍型座面を設けて、かつ、この鞍型座面のフランジ中央側端部にフックを配して左右分割鞍型座面が横方向スライド可能に嵌合装着して前記フックが前記ストッパーに受接係止可能なバックアップ機構を形成して任意拡大座面を形成し、かつ、本体上部座面と左右延長鞍型座面が上面面一装着可能に形成することが出来る。なお、前記エアー給排手段は上部座面に設けることも出来る。
このように形成された鞍型座面左右任意拡大可能な折り畳み椅子は、前記蛇腹状本体座面平面形状を、例えば、巾１５ｃｍ、長さ１６ｃｍに設けて、この座面長さを装着された２分割の鞍型座面の拡大によって約２４センチメートルに延長拡大形成することが出来る。従って、このように形成された左右座面拡大式エアー給排式折り畳み椅子は、前記請求項１の本体、及び、座面の初期長さ形状を小さく設け、使用時拡大して小さく収納可能に設けて利便性を高めることが出来る。もとより、請求項１同様底面に接地面拡大ステーを配することも出来る。
【０００６】  また、本発明の携帯用椅子は請求項３の如く、椅子座面を硬質樹脂等からなる平面形状ほぼ角型に設けた座位方向に対する横長手方向中央２分割に設けてこの各周縁部に所定深さのフランジを配して逆椀状の分割座面を並列配置し、この中央隣接フランジ部に回転軸を用いた連結機構を配して左右連結の合掌折り畳み可能に設け、かつ、この両座面裏面内に、例えば、軽合金製、又は、強化樹脂製等の４本の脚を、例えば、上部チャンネル材と下部角パイプ等を組み合わせてこの上部基部、及び、中間に回転ピンを介して２段屈曲内折り曲げ可能に設け、かつ、４本の脚の座面裏面内縮小収納時姿を、座位前後方向が非対称となる変形Ｍ字状，若しくは、変形Ｗ字状に設けて収納可能に形成して伸張時の脚長を約２倍の脚長形成可能に、かつ、広角接地可能に形成することが出来る。そのため、前記４本の各脚の組み立て方法を、座面裏面側基部に４対の突起するホルダーを、下部にやや狭巾の切欠部を設けた嵌合穴付きに設けて所定の角度付きに配し、かつ、脚の頭部基部の両側部にリング状の板状アダプターを添接し、かつ、回転ピンを用いて前記切欠部から嵌合穴に強制嵌合固定し、ホルダーの復元グリップ力によって脱落防止を図って脚が半旋回可能に組み立て形成出来る。なお、この時、前記嵌合孔内部に接着剤を塗布して嵌合することが望ましい。かつ、左右座面隣接部には相互に受圧ブロックを配して耐荷重性を高めることも出来る。また、座面裏面と各脚中間斜めに張力ステーを配して脚接地の安定性を図ることも出来る。或いは、前記可変可能な脚は異径の角パイプ同士を挿入可能に組み合わてノックピンを介してスライド、かつ、基部屈曲可能に構成することも出来る。また、前記座面はこれを単体に設けて形成することも、又は、アルミ材等を用いて成型することも出来る。
【０００７】  このように形成された本発明の携帯用椅子は、例えば、座面を、巾１６乃至１７ＣＭ、長さ２３〜２４ＣＭの硬質樹脂製の２分割に設け、かつ、夫々の周縁部に約１，５ＣＭのフランジを配して逆椀状の深さを設け、両中間フランジ間に連結機構を配して合掌式の折り畳み可能に設け、更に、この逆椀状座面裏面に、屈曲、又は、伸縮可能な２段の脚を縮小して変形Ｍ字状に配置して基部を設けて収納可能とすることによって、前後に対峙する脚相互が重なり合うことなく半旋回の屈曲出し入れを可能にして各脚長を伸長して適性座高を形成することが出来る。そのため、脚基部の組み立て用ホルダー４対を角度付きに配して下部に切欠部付き嵌合孔を設け、この嵌合孔に脚４本の頭部を両側にアダプターを添接してヒンジピンとも下方から圧入可能に形成して座面裏面コーナー部の狭隘なスペースで角度付きの組み立てを可能にして優れた配置バランス形成を可能にしている。このようにして脚を変形Ｍ字状に収納出可能に形成の座面の折り畳み後の全厚がほぼ３〜３，５ＣＭの長さ約１６〜１７ＣＭ、巾約１１〜１２ＣＭの小型に形成出来る。かつ、脚伸長時の椅子の座高をほぼ２７〜２８ＣＭに形成することが出来る。従って、このように形成された折り畳み式の椅子は、軽量で、かつ、コンパクトに形成されて椅子の使用勝手を大変座り心地の良い座高の脚長に設け、かつ、接地角度を適正広角に設け安定設置することが出来る。かつ、組み立てと収納の操作が極めて容易な携帯椅子を形成してアウトドアー時代の旅行や散歩、屋内外のイベント時等に利用され、かつ、年齢層や服装を問わずに大変利便性の高い折り畳み椅子を提供することが出来る。なお、各脚には展張ステーを配して接地安定性を図ることが出来る。
【発明の効果】
【０００８】本発明の請求項１の携帯用折り畳み椅子１Ａは、可撓性樹脂からなる中空箱型蛇腹状のエアー上下拡縮可能なブロー成型本体を、底板をインローに設けてエアー給排手段を配置し、かつ、キャップの正逆半回転操作で瞬時にエアーの給排を可能にし、かつ、座位後方に接地拡大用ステーを配して体荷重の安定性を図っている。また、請求項２の携帯用折り畳み椅子１Ｂは上部座面に任意拡大可能な２分割の鞍型座面を装着し、拡大時、座面が約２倍に、かつ、全面が面一に形成される。また、請求項３の携帯用折り畳み椅子１Ｃの座面合掌折り畳み式の椅子は、２段屈曲式の４本の脚が座面裏面内に変形Ｍ字状に収納されて、極めて容易な操作で伸張時の座高が２７〜２８ＣＭの適正高さに、かつ、広角接地可能に形成されて小型で日常的に携帯出来る。
【発明を実施するための最良の形態】
【０００９】以下、本発明の形態を図１〜図１５によって説明する。
【実施例１】
【００１０】  本発明の携帯用折り畳み椅子１Ａを図１〜図６で示すと、可撓性樹脂からなる本体２は、座面２Ａ、及び、底板２Ｃを平面形状ほぼ角型に設け、中間胴部２Ｂを筒状変形楕円の横蛇腹状上下拡縮式に設けてエアー給排可能に形成するものとし、胴部２Ｂの初期形状を蛇腹状の上下最大伸張時姿でブロー成型し、かつ、底板２Ｃ底面２ａにエアー給排手段３を、該底面央部通過の長手方向に所定巾の溝４をなだらかな凹椀状に設けてインローに形成し、この中央部に外部突起する外ネジ式の筒状口部５を配してこの筒部対面に通気孔５ａを設け、かつ、付け根外部に弾性Ｏリング等のガスケット６を配し、かつ、キャップ７を配して正回転操作で周縁部７ａと蜜接触して内部エアーを気密保持可能に、かつ、キャップ逆半回転で通気孔５ａを開けて本体を上下圧縮してエアー排出可能に設けてキャップ７を装着したままの回転操作で蜜、開閉が出来る構造としている。なお、この時、エアー給排手段３はキャップ締め付け時の頭部７ｂが底面２ａの周囲接地面と面一、若しくは、以下に形成することが望ましく、かつ、本発明は底面に軽合金製の丸棒等の接地面積拡大用ステー８を前記底板２Ｃ前方周辺形状のほぼコの字状に設けて両端部に９０度角の軸芯８ａを設け，これを、例えば、図５に示す如く底板２Ｃの座位左右両側部の中心よりやや後方に設けた嵌合穴２ｂに嵌合して前後方向下部振り子状に半旋回して底板後方に迫り出しの接地面拡大可能に設け、使用後は底板２Ｃ前方外辺に収納可能に形成している。なお、図示しないが前記底面の凹椀部溝は、これをやや巾広の面状インローに設けることも出来る。或いは、前記給排手段を上部座面に設けることも可能である。【００１１】  このように形成された本発明のエアー給排式携帯用椅子１Ａは、例えば、本体２座面２Ａを巾１５〜１６ＣＭ，長さ２２〜２４ＣＭに設け、伸張時全高を１８〜２０ＣＭの胴部横蛇腹状に設けてブロー成型し、かつ、底板２Ｃをほぼ上部座面２Ａ大に設けて給排手段３を、底面２ａ中央分通過の長手方向に、例えば、５ＣＭ巾の凹状のなだらかな溝部４を設けて、この中央部に外部突起する約１０ＭＭΦの筒状の外ネジ式口部５を配して筒部対面に約５ＭＭΦの通気孔５ａを設け、かつ、付け根外部にＯリング等のガスケット６を装着してキャップ周縁部７ａがＯリングに接触離可能な構造としている。
従って、このように形成された本発明の本体エアー給排式のブロー成型の折り畳み式椅子１Ａは、初期、拡大姿で成型された本体２をキャップ７を正回転して閉めて胴部内圧を密封保持して身体荷重支持可能に設け、かつ、前記底板の接地面積拡大用接地ステー８をセットして座時の安定性向上を図って使用し、収納時、キャップ逆回転操作で緩めて通気孔５ａを開けて本体２を圧縮してエアーを排出後、キャップ７を正回転して締めて本体２折り畳み縮小時の厚みが２、０〜２、５ＣＭの姿で内部負圧状態維持可能に形成することが出来る。なお、頭部キャップ７は頭部７ｂ締め付け時，底面２ａの周辺部と面一以下に形成されている。又は、前記接地ステー８は図示しないがステーを底板両サイドに半溝を設けて後方引き出し入れ可能に形成することも出来る。
従って、このように本エアー給排蛇腹式携帯用椅子１Ａは、収納時の折り畳まれた椅子が瞬時のキャップ正逆半回転操作でエアーが通気孔５ａから吸入開始して本体拡大時の密封、かつ、本体圧縮時の密封と開封、かつ、椅子の高さ調整を容易にしてキャップ７を取り外すことなく両手を本体と両方に添えたままの僅かな正逆片手半回転操作だけで口で吹いて膨らます必要なく椅子の使用操作が出来る。同時に、本携帯用椅子１Ａは、軽量で、コンパクトなため日常的に携帯出来で、かつ、旅行や散歩時の任意の休息用にも役立ち、また、室内の畳や座布団上、或いは、和装姿でも使用出来る。かつ、このように形成のブロー成型された椅子は本体の平面形状を丸型、又は、三角型等に設けることが出来ると同時に、胴部を、箱型筒状の他、台形、又は、逆台形等の立体状のデザインに形成することも出来る。
【実施例２】
【００１２】  また、本発明の中間胴部が蛇腹式のエアー給排手段３付き携帯用折り畳み椅子１Ｂは図７に示す如く、本体９の座面９Ａが平面形状をほぼ角型に設けて、この上面に座位方向中央２分割の鞍型座面１０を横スライド可能に嵌合装着して任意座面延長拡大使用可能に、かつ、拡大時、上面面一に形成するもので、本体座面９Ａを、中央から左右所定位置で段落差Ｂを設けて中央上段座面９ａと左右下段座面９ｂを形成、かつ、この左右段差際の下段座面９ｂ前後外縁部に垂直下方向に突起する板状のストッパー９ｃを配して形成し、かつ、２分割の鞍型座面１０を周囲３辺下部にフランジ１０ａを配し、かつ、この中央寄り切断部に係止用フック１０ｂを設けてストッパー９ｃに受接係止可能なバックアップ機構Ｃを設けて水平方向スライド可能に嵌合装着し、かつ、前記鞍型座面１０が上段座面９ａから下段座面９ｂに落下する時本体上段座面９ａと面一可能に形成、かつ、前記本体９の底板９Ｃにエアー給排手段３を配して折り畳み椅子１Ｂを形成することが出来る。
このように形成の左右延長拡縮可能な鞍型座面１０装着の折り畳み椅子１Ｂは、本体の座面９Ａ平面形状を、例えば、巾１５ＣＭ、長さ１６ＣＭの小型に設けて、かつ、この上段座面９ａ部の長さを、例えば、８ＣＭ、左右下段座面９ｂ長さを各４ＣＭづつに設けて成型、かつ、上面９Ａに２分割の鞍型座面１０を、夫々長さ約８ＣＭに設けてフック１０ｂ付きに成型して嵌合後、座時、これを左右方向にスライドして全長約２４ＣＭ大の座面に拡大することが出来る。かつ、この時、本体９の上段座面９ａと下段座面９ｂに移動した鞍型座面１０は、図８の如く双方の端部同士９ｃと１０ｂが噛み合うバックアップ機構Ｃによってて固定され、かつ、上段座面９ａと面一に形成され、かつ、縮小時には、前記鞍型座面１０の噛み合わせ部のフック１０ｂを内横方向に押し外してほぼ元の本体座面９Ａ大の約１６ＣＭに縮小し、キャップ７を緩めて開口部５ａを開けて本体９を上下圧縮して内部のエアー抜きを行って後キャップ７を締めて負圧状態を保持して小型化収納可能に設けて利便性をより高めることが出来る。もとより、底板に接地面拡大ステー８を配することが出来る。室内使用も可能である。なお、本発明は、図示しないがエアー給排装置を上部座面に設けることも出来る。
【実施例３】
【００１３】  また、本発明の折り畳み式携帯用椅子１Ｃは図９に示す如く、硬質樹脂等の座面１１Ａ，１１Ｂを、周縁部にフランジ１１ａを配して所定深さの平面形状ほぼ角型の逆椀型に設けて並列配置し、かつ、主に、この中央隣接フランジ部に受圧ブロック１１ｂを設けて形成、かつ、同隣接部に回転軸１２を用いた連結機構Ｄを設けて下方半回転の合掌折り畳み式に設け、かつ、この両座面１１Ａ，１１Ｂは裏面にアルミ軽合金製等の４本の２段屈曲可能な脚１３を、例えば、上部にチャンネル材１３Ａを用い、下部に平角型パイプ１３Ｂ等を用いて上部及び中間部夫々にヒンジピン１４を装着して２段屈曲可能に設け、かつ、この脚１３を折り曲げ縮小した状態で、座面１１Ａ，１１Ｂの裏面に座位前後方向Ｘ−Ｙが非対称となる変形Ｍ字状Ｅに収納可能に形成するものとし、そのため座面１１Ａ，１１Ｂ裏面内のフランジ１１ａ際の基部Ｆに図１０、図１２の如く４対のホルダー１５を角度Ｈ付きに配し、かつ、嵌合孔１５ａ、及び，下部に嵌合孔より若干狭巾の切欠部１５ｂ付きに設けて配し、かつ、図１１、図１３の如く上部脚１３Ａの基部Ｇの組み立て側両側部に前記嵌合孔１５ａ大の板状アダプター１６を添接して回転ピン１４と共にホルダーの嵌合孔１５ａに強制圧入装着し、アダプター１６をホルダー１５の復元力でグリップして落下防止可能に、かつ、回転ピン１４で脚１３Ａ、１３Ｂを屈曲出し入れ可能に形成している。なお、この時、ホルダー１５の嵌合孔１５ａに接着剤を塗布することにより確実に固定することが出来る。また、図示しないが上部、下部の脚を異径の角パイプを用いてノックピン等を介して上下スライド伸縮式に設けて座面裏面内に収納することも出来る。或いは、脚１３は強化樹脂等を、座面にはアルミ成型品を用いることも出来る。かつ、座面は単体に設けることも出来る。また、前記脚の配置はこれを変形Ｗ字状と称することも出来る。このように形成された本折り畳み式椅子１Ｃは、例えば、巾を１５ＣＭ、長さを２２〜２４ＣＭの硬質樹脂製等の２分割の、深さ１５ＭＭの逆椀状座面を、両中央フランジ間に連結機構Ｄを配して合掌式の折り畳み可能に設け、更に、この座面裏面内に、２段屈曲の脚を、例えば、上部脚を１５ＣＭ，下部脚を１４ＣＭに設けて組み立てて脚伸張時の椅子全高が２７〜２８ＣＭとなる脚長が長く設けられて適性座高確保可能に、かつ、広角接地可能に形成し、折り畳み後は、これを図１５の如く、脚１３を座面１１Ａ，１１Ｂの裏面内に変形Ｍ字状Ｅに収納可能に形成し、巾を約１５ＣＭ、長さを約１２ＣＭ、厚さを約３ＣＭの小型に縮小し、簡易な操作で組み立てと収納が出来て年齢層や服装を問わないアウトドアー時代の旅行や散歩、屋内外のイベント時等に利用されて大変利便性を高めることが出来る。なお、本折り畳み椅子は、使用時の安定強化を図るため、図９、図１０の如く左右座面連結接触フランジ面に受圧ブロック１１ｂを配し、かつ、図１４の如く座面裏面の張力ステー用ホルダー１８と脚１３中間ヒンジピン１４間に補強用張力ステー１７を配することも出来る。かつ、図示しないが座面１３Ａ，１３Ｂフランジ間に閂を配することも出来る。
【図面の簡単な説明】
【００１４】
【図１】本発明のエアー給排蛇腹折り畳み式椅子を示す拡張時の斜視図。
【図２】同上椅子の正面図で、片側に胴部縮小の様子と底部の凹椀状の溝に給排装置を配した組み立て構成の様子を断面で示す。
【図３】同上エアー給排装置の部分拡大断面図。
【図４】同上椅子の底面の図で所定巾の凹椀状の溝と給排装置、及び、回転式接地ステー装着の様子を示す。
【図５】同上接地ステー装着の様子を示す本体下部側面図。
【図６】同上接地ステーの図。
【図７】本発明の分割鞍型延長座面方式の蛇腹折り畳み椅子の斜視全体図。
【図８】同上椅子の段差付き本体座面と分割鞍型延長座面のバックアップ機構の部分図で一部切欠して示す。
【図９】本発明の合掌折り畳み式椅子の斜視全体図。
【図１０】同上椅子の座面展開の平面図で、分割並列連結座面の裏面に脚が折り畳まれて変形Ｍ字状に配され、かつ、連結部に受圧ブロックが配されたことを示す。
【図１１】脚の異径チャンネルと角型パイプが回転ピンでヒンジ機構を形成し、かつ、脚基部にアダプターを添接した様子を示す図。
【図１２】上記分割並列配置の座面を示す部分断面図で、裏面基部に脚取り付け用ホルダーを配した図。
【図１３】同上ホルダー嵌合用アダプターの図。
【図１４】同上椅子用の展張ステー装着の様子を示す図。
【図１５】同上合掌折り畳み式椅子の折り畳まれた正面断面図て、かつ、座面裏面内に屈曲式脚が収納された様子を示す。
【符号の説明】
【００１５】１Ａ  エアー給排折り畳み式携帯用椅子        １Ｂ  同鞍型延長座面式携帯用椅子
１Ｃ  脚折り畳み式携帯用椅子  ２  前記１Ａの本体        ２Ａ  同蛇腹状胴部
２Ｂ  同座面                ２Ｃ  同底板                  ２ａ  底面
２ｂ接地ステー嵌合穴          ３  エアー給排手段          ４  なだらかな凹椀状溝
５  筒状ネジ口部              ５ａ  通気孔                ６  ガスケット
７  キャップ                  ７ａ  同周縁部              ７ｂ  同頭部
８  接地ステー                  ８ａ  軸芯                  ９  前記１Ｂの本体
９Ａ  同座面                  ９Ｂ  同胴部                ９Ｃ  同底板
９ａ    同上段座面            ９ｂ    同下段座面          ９ｃ  ストッパー
１０  ２分割の鞍型座面        １０ａ    フランジ          １０ｂ  フック
１１Ａ，１１Ｂ  前記１Ｃの並列座面              １１ａ  同フランジ
１１ｂ受圧ブロック          １２    回転軸                １３  ２段屈曲脚
１３Ａ  上部脚              １３Ｂ  下部脚                １４    ヒンジピン
１５  ホルダー              １５ａ  同嵌合孔              １５ｂ  切欠部
１６  アダプター            １７  張力ステー          １８  張力ステー用ホルダー
Ａ    中心線        Ｂ  段落差        Ｃ  バックアップ機構      Ｄ  連結機構
Ｅ  変形Ｍ字状          Ｆ  座面裏面の脚組み立て基部        Ｇ  脚の組み立て基部
Ｈ  ホルダー取り付け角度        Ｘ−Ｙ  前後方向
【図１】
0005585635.tif 000002
【図２】
0005585635.tif 000003
【図３】
0005585635.tif 000004
【図４】
0005585635.tif 000005
【図５】
0005585635.tif 000006
【図６】
0005585635.tif 000007
【図７】
0005585635.tif 000008
【図８】
0005585635.tif 000009
【図９】
0005585635.tif 000010
【図１０】
0005585635.tif 000011
【図１１】
0005585635.tif 000012
【図１２】
0005585635.tif 000013
【図１３】
0005585635.tif 000014
【図１４】
0005585635.tif 000015
【図１５】
0005585635.tif 000016